Podtech/llm-jp-corpus-v4-ja_patent huggingface dataset:
【手続補正書】
【提出日】平成17年3月8日(2005.3.8)
【手続補正１】
【補正対象書類名】明細書
【補正対象項目名】発明の名称
【補正方法】変更
【補正の内容】
【発明の名称】ネジ付缶
【手続補正２】
【補正対象書類名】明細書
【補正対象項目名】特許請求の範囲
【補正方法】変更
【補正の内容】
【特許請求の範囲】
【請求項１】
有底筒状の胴部と、その胴部の上部に連続する肩部と、その肩部の上方に連続し、凹凸変形によるネジ部を備えた円筒状の首部とを有し、肩部および首部はネッキング加工による形成された一体成形された金属薄板製の缶体を有し、前記首部を含む缶体の内面側に塗膜ないし被覆が形成され、前記首部の上端近辺の外面が、切削加工によってネジ部よりも薄肉に形成され、かつ外向きにカール加工されたカール部が形成されることを特徴とするネジ付缶。
【請求項２】
前記凹凸変形によるネジ部を備えた首部が肩部と連続する大径と、その大径部の上部に大径部と円錐状の部分を介して滑らかに連続する小径部とからなり、前記小径部の上端近辺の外面が切削加工によりネジ部よりも薄肉に形成され、前記ネジ部が前記大径部の上部に大径部の上端に達するように設けられている請求項１記載のネジ付缶。
【請求項３】
前記カール部のカール幅が１．０〜３．０ｍｍであり、かつカール部の外径がネジ部の谷径よりも小さい請求項１記載のネジ付缶。
【請求項４】
前記首部の上端近辺の外面が、元の肉厚の２０〜７０％である請求項１記載のネジ付缶。
【手続補正３】
【補正対象書類名】明細書
【補正対象項目名】０００１
【補正方法】変更
【補正の内容】
【０００１】
【発明の属する技術分野】
本発明はネジ付缶に関する。
【手続補正４】
【補正対象書類名】明細書
【補正対象項目名】０００６
【補正方法】変更
【補正の内容】
【０００６】
本発明のネジ付缶は、円筒状の首部を有する金属薄板製の缶体を成形し、首部の周囲に、その上端近辺を残して凹凸変形によりネジ部を成形し、ついで前記上端近辺を切削加工して薄肉とし、その薄肉にした部位をカール加工することを特徴としている。前記缶体は、金属薄板から成形してもよく、また、スラグからインパクト成形により成形してもよい。この製造方法においては、前記カール加工する前のいずれかの段階で、缶体の内面側に塗膜ないし被覆を形成し、かつ前記薄肉にした部位を外向きにカール加工することによって製造するのが好ましい。
【手続補正５】
【補正対象書類名】明細書
【補正対象項目名】０００７
【補正方法】変更
【補正の内容】
【０００７】
本発明のネジ付缶を備えた蓋付容器は、前述のネジ付缶と、そのネジ付缶の首部のネジ部に螺合する蓋体とを有し、その蓋体の上部内面のカール部と対応する部位に当接面が設けられていることを特徴としている。このような蓋付容器では、前記蓋体ないし首部に内容物の取り出し手段を設けると共に、その取り出し手段に、カール部と当接面との間に挟まれるフランジ部を設けてもよい。また、本発明の蓋付容器の第２の態様は、前述のネジ付缶と、その首部のネジ部に螺合する蓋体と、前記首部に取り付けられる内容物の取り出し手段とを有し、その取り出し手段が、カール部と嵌合する嵌合部を有している。
【手続補正６】
【補正対象書類名】明細書
【補正対象項目名】００１１
【補正方法】変更
【補正の内容】
【００１１】
本発明のネジ付缶は、その製造方法において首部の上端近辺を切削加工により薄肉にした後にカール加工を施すので、曲げやすい。そのためカール加工の時にネジ部が座屈しにくい。また、円筒缶を製造した後、絞り加工により胴部より小径の首部を成形する場合は、首部の肉厚が厚くなりがちである。そのため首部を薄肉に切削加工することによる座屈防止効果が一層大きい。またカール加工の前に塗膜ないし被覆を設け、カール部を外向きに巻く場合は、カール部の先端および表面の防食効果がある。
【手続補正７】
【補正対象書類名】明細書
【補正対象項目名】００１２
【補正方法】変更
【補正の内容】
【００１２】
本発明のネジ付缶を備えた蓋付容器は、カール部の上面に角がないので、当接面やガスケットを傷つけるおそれが少ない。そのため蓋体をしっかりと首部に締め付けることができる。蓋体ないし首部に設けた取り出し手段のフランジ部を、蓋体の当接面とカール部との間に挟着する場合は、取り出し手段をしっかりと保持させることができる。また、取り出し手段にカール部と嵌合する嵌合部を設ける場合は、取り出し手段を首部にしっかりと取り付けることができる利点がある。
【手続補正８】
【補正対象書類名】明細書
【補正対象項目名】００１３
【補正方法】変更
【補正の内容】
【００１３】
【発明の実施の形態】
つぎに図面を参照しながら本発明のネジ付缶の実施の形態を説明する。図１(a)は本発明のネジ付缶の一実施形態を示す要部断面図、図１(b)はそのネジ付缶の製造方法の一実施形態を示す要部工程図、図２は図１(b)の製造方法の前工程を示す工程図、図３(a)および図３(b) は、それぞれ本発明のネジ付缶の実施形態を示す概略断面図、図４は本発明のネジ付缶の他の実施形態を示す要部断面図、図５〜８はそれぞれ本発明の蓋付容器の実施形態を示す断面図である。
【手続補正書】
【提出日】平成16年9月27日(2004.9.27)
【手続補正１】
【補正対象書類名】明細書
【補正対象項目名】発明の名称
【補正方法】変更
【補正の内容】
【発明の名称】樹脂接合型光学素子の製造方法及び製造装置並びに樹脂接合型光学素子
【手続補正２】
【補正対象書類名】明細書
【補正対象項目名】特許請求の範囲
【補正方法】変更
【補正の内容】
【特許請求の範囲】
【請求項１】
光学素子基材と所定の型形状を有する成形型との間に樹脂液を供給する樹脂供給工程と、
前記光学素子基材と前記成形型とを所定の間隔まで接近させる成形工程と、
前記樹脂液を硬化させる硬化工程と、
前記樹脂液が硬化して得られた硬化樹脂層を前記成形型から離型する離型工程と、
を備えた樹脂接合型光学素子の製造方法において、
前記硬化樹脂層の端面に剥離の切っ掛けを作る剥離開始部を形成する剥離開始部形成工程と、
を含むことを特徴とする樹脂接合型光学素子の製造方法。
【請求項２】
請求項１に記載された樹脂接合型光学素子の製造方法において、
前記剥離開始部形成工程は、溝部形成部材によって、前記硬化樹脂層の端面に溝部を形成すること、
を特徴とする樹脂接合型光学素子の製造方法。
【請求項３】
請求項２に記載された樹脂接合型光学素子の製造方法において、
前記溝部形成部材は、前記硬化工程前に、前記未硬化の樹脂液に挿入され、前記硬化工程に移行すること、
を特徴とする樹脂接合型光学素子の製造方法。
【請求項４】
請求項３に記載された樹脂接合型光学素子の製造方法において、
前記溝部形成部材は、前記離型工程前に、前記硬化樹脂層の端面から除去されること、
を特徴とする樹脂接合型光学素子の製造方法。
【請求項５】
請求項２から請求項４までのいずれか１項に記載された樹脂接合型光学素子の製造方法において、
前記溝部形成部材は、加熱されること、
を特徴とする樹脂接合型光学素子の製造方法。
【請求項６】
請求項１から請求項５までのいずれか１項に記載された樹脂接合型光学素子の製造方法において、
前記離型工程は、前記光学素子基材の前記剥離開始部近傍に離型方向の押圧力を加えることによって、前記硬化樹脂層を前記成形型から離型すること、
を特徴とする樹脂接合型光学素子の製造方法。
【請求項７】
光学素子基材と所定の型形状を有する成形型との間に樹脂液を供給し、前記光学素子基材と前記成形型とを所定の間隔まで接近させ、前記樹脂液を硬化させ、前記樹脂液が硬化して得られた硬化樹脂層を前記成形型から離型する樹脂接合型光学素子の製造装置において、
前記硬化樹脂層の端面に剥離の切っ掛けを作る溝部を形成する溝部形成部材を備えたこと、
を特徴とする樹脂接合型光学素子の製造装置。
【請求項８】
請求項１から請求項６までのいずれか１項に記載された樹脂接合型光学素子の製造方法で製造した樹脂接合型光学素子。
【手続補正３】
【補正対象書類名】明細書
【補正対象項目名】０００１
【補正方法】変更
【補正の内容】
【０００１】
【発明の属する技術分野】
本発明は、光学素子基材に所定の形状の樹脂層を接合した樹脂接合型光学素子の製造方法及び製造装置並びに樹脂接合型光学素子に関するものである。
【手続補正４】
【補正対象書類名】明細書
【補正対象項目名】０００６
【補正方法】変更
【補正の内容】
【０００６】
本発明の課題は、離型時に光学素子基材と成形型との剥離を容易にし、光学素子基材の割れを防止することができる樹脂接合型光学素子の製造方法及び製造装置並びに樹脂接合型光学素子を提供することである。
【手続補正５】
【補正対象書類名】明細書
【補正対象項目名】００１３
【補正方法】変更
【補正の内容】
【００１３】
請求項７の発明は、光学素子基材と所定の型形状を有する成形型との間に樹脂液を供給し、前記光学素子基材と前記成形型とを所定の間隔まで接近させ、前記樹脂液を硬化させ、前記樹脂液が硬化して得られた硬化樹脂層を前記成形型から離型する樹脂接合型光学素子の製造装置において、前記硬化樹脂層の端面に剥離の切っ掛けを作る溝部を形成する溝部形成部材を備えたこと、を特徴とする樹脂接合型光学素子の製造装置である。
請求項８の発明は、請求項１から請求項６までのいずれか１項に記載された樹脂接合型光学素子の製造方法で製造した樹脂接合型光学素子である。
【手続補正書】
【提出日】平成16年6月18日(2004.6.18)
【手続補正１】
【補正対象書類名】明細書
【補正対象項目名】００３２
【補正方法】変更
【補正の内容】
【００３２】
［Ｄ−Ｎ−レチノイルグルコサミンの同定］
上記反応にて得られたＤ−Ｎ−レチノイルグルコサミンの同定については、下記に示すように、核磁気共鳴スペクトル（ＮＭＲ）により確認した。
なお、上記製造例で得たＤ−Ｎ−レチノイルガラクトサミン及びＤ−Ｎ−レチノイルノイラミン酸メチルの同定については、いずれも満足のいく核磁気共鳴スペクトルが得られていることを確認した。
【手続補正書】
【提出日】平成16年11月22日(2004.11.22)
【手続補正１】
【補正対象書類名】明細書
【補正対象項目名】特許請求の範囲
【補正方法】変更
【補正の内容】
【特許請求の範囲】
【請求項１】
ＰＣ鋼材のグラウト充填時における気泡検出装置であって、
グラウト注入用ホースに接続する検出用継ぎ手と、
グラウトに高周波を印加するためのオシレータと、
前記オシレータからの高周波を受信するためにグラウトに近接して設けられた検出用電極と、
前記検出用電極で受信された高周波の強度変化を検出する検出部と
を備え、
前記検出用継ぎ手内に、前記オシレータからの高周波をグラウトに印加するための前記励振用電極と、前記検出用電極とをグラウトを挟んで対面する構成で設けたことを特徴とする気泡検出装置。
【請求項２】
請求項１に記載の気泡検出装置において、
前記検出用継ぎ手内に設けられた前記検出用電極は、少なくとも２つ設けられていることを特徴とする気泡検出装置。
【請求項３】
請求項１又は２記載の気泡検出装置において、前記検出用継ぎ手内に、島部を設けたことを特徴とする気泡検出装置。
【手続補正２】
【補正対象書類名】明細書
【補正対象項目名】０００５
【補正方法】変更
【補正の内容】
【０００５】
【課題を解決するための手段】
上記目的を達成するために、本発明は、ＰＣ鋼材のグラウト充填時における気泡検出装置であって、グラウト注入用ホースに接続する検出用継ぎ手と、グラウトに高周波を印加するためのオシレータと、前記オシレータからの高周波を受信するためにグラウトに近接して設けられた検出用電極と、前記検出用電極で受信された高周波の強度変化を検出する検出部とを備え、前記検出用継ぎ手内に、前記オシレータからの高周波をグラウトに印加するための前記励振用電極と、前記検出用電極とをグラウトを挟んで対面する構成で設けたことを特徴とする。
この構成により、充填するグラウト内に気泡が含まれていることを検出することができる。
【手続補正３】
【補正対象書類名】明細書
【補正対象項目名】０００６
【補正方法】変更
【補正の内容】
【０００６】
前記検出用継ぎ手内に設けられた前記検出用電極は、少なくとも２つ設けることもでき、これにより、グラウト中の気泡の移動速度を測ることができ、気泡の位置の推測を行うことが可能となる。
前記検出用継ぎ手内に、島部を設けることにより、大口径のホースを用いてグラウトを充填する場合でも、確実に気泡を検出することができる。
【手続補正４】
【補正対象書類名】明細書
【補正対象項目名】０００７
【補正方法】削除
【補正の内容】
【手続補正書】
【提出日】平成16年8月25日(2004.8.25)
【手続補正１】
【補正対象書類名】明細書
【補正対象項目名】請求項１
【補正方法】変更
【補正の内容】
【請求項１】
電気信号によって動作して、プライマリプーリへ圧油を供給する油圧供給回路に設けられた変速制御弁の制御を行うレシオコントロールソレノイドを有し、前記プライマリプーリとセカンダリプーリとの間に巻掛けられたベルトの回転半径を、前記レシオコントロールソレノイドを制御することによって可変して、変速比を無段階に変える無段変速機の制御装置において、
前記プライマリプーリと、前記変速制御弁との間に前記プライマリプーリへの圧油を排出位置に切り替え可能な切り替え弁を設けると共に、該切り替え弁の排出位置で、前記プライマリプーリと連通する排出回路に、排出保持手段を設けたことを特徴とする無段変速機の制御装置。
【手続補正２】
【補正対象書類名】明細書
【補正対象項目名】００１３
【補正方法】変更
【補正の内容】
【００１３】
このため、前記プライマリプーリ３に前記油圧供給回路８を介して供給されている圧油が急激にこのドレインポート１３から排出されることとなり、前記プライマリプーリ３及びセカンダリプーリ４によるベルト張力が低下する。このようなベルト張力の低下は、クランプ力不足を招き、ベルト５にスリップが生じたり、急激なダウンシフトが生じる虞があった。また、上記断線等のソレノイド故障時に急激なダウンシフトをさせない方法としては特願平１−３２８９９０号出願のように断線時、悲通電時にプライマリ圧を最大にして高速段に変速制御するものが示されている。
【手続補正３】
【補正対象書類名】明細書
【補正対象項目名】００１４
【補正方法】変更
【補正の内容】
【００１４】
ところが、上記急激なダウンシフトは回避できるが、発進時には最小変速比で発進しなければならないので発進性を著しく損なう等の問題がある。
【手続補正４】
【補正対象書類名】明細書
【補正対象項目名】００１５
【補正方法】変更
【補正の内容】
【００１５】
本発明は上記の事情に鑑みて為され、断線等、レシオコントロールソレノイド故障時であっても、前記プライマリプーリ３の圧油の急激な排出によるベルト張力の低下が招くクランプ力不足及びベルト５のスリップ及び急激なダウンシフトを改善し、また中間変速段に変速比を保ち発進性を改善する無段変速機の制御装置の提供を目的とする。
【手続補正書】
【提出日】平成17年2月14日(2005.2.14)
【手続補正１】
【補正対象書類名】明細書
【補正対象項目名】００１２
【補正方法】変更
【補正の内容】
【００１２】
【課題を解決するための手段】
上記目的は、雌型接続部材に結合される雄型接続部材と、この雄型接続部材の貫通孔内に配置され、貫通孔内を移動することによって通水、止水の弁機能を有する弁体とからなる継手において、この弁体を一端が閉じ他端が開放したほぼ筒状体とし、閉じた端面近傍に環状溝と、さらに少し離れた位置周面に複数の開口を設け、開放端近傍に複数の切り欠きを設け可撓性を付与することで達成される。
【手続補正２】
【補正対象書類名】明細書
【補正対象項目名】００１６
【補正方法】変更
【補正の内容】
【００１６】
継手の一方に装着され通水、止水機能を有する弁体を一体成形して一部品で構成することにより、弁体の構造が簡単となるばかりでなく、継手への装着、離脱が容易になる。また、この弁体は構造が簡単であることから樹脂等で一体成形することが可能になる。さらに、弁体材料にポリフィニレンスルフィドに熱可塑性エラストマーを添加した樹脂を使用することにより、加工が容易、耐薬品性、耐衝撃性、耐磨耗性に優れた弁体を得ることができる。
【手続補正３】
【補正対象書類名】明細書
【補正対象項目名】００１７
【補正方法】変更
【補正の内容】
【００１７】
【発明の実施の形態】
次に、図面により本発明の実施の形態を説明する。図１は継手の接続が解かれた状態の断面図、図２は継手が互いに結合された状態の断面図、図３は、弁体の断面図である。これらの図において、継手は、給水栓等に取付けられるほぼ円筒形状の雄型接続部材２０と、これに着脱自在に結合されるほぼ円筒状の雌型接続部材３０と、雄型接続部材２０に嵌め合わされて雌型接続部材３０を固定するほぼ円筒状の締付部材３１とからなる。
【手続補正４】
【補正対象書類名】明細書
【補正対象項目名】００２２
【補正方法】変更
【補正の内容】
【００２２】
大径部２１bに結合される筒状体２２は、その外周面に、ほぼ中央より上方にフランジ２２aを設け、このフランジ２２ａにＯリング２７を配設、さらに、フランジ２２ａに近い筒状体２２の一端には、給水栓或いはホース（図示せず。）に接続できるように、雄ネジを刻設する。フランジ２２aの下方には、大径部の開口部２１ｄと係合する突起２２ｂを設け、さらに下方には、外周面に沿って、パッキンを装着する環状溝２２cを設ける。そして、筒状体２２の本体２１への結合は、筒状体２２を大径部２１ｂの開口部から挿入し、突起部２２ｂを開口部２１ｄへスナップ結合させる。一方、その解除は、開口部２１ｄから工具先端を挿入し、突起部２２ｂを押し、筒状体２２を形成する筐体を半径方向内側へ撓ませ、筒状体２２を引き抜くことで、結合を解くことができる。筒状体２２の内側、貫通孔は、その直径が一端より他端を大きくし、途中に段部２２ｄを設けて、この段部２２ｄで、後述するスプリング２６を貫通孔内に固定させる。
【手続補正５】
【補正対象書類名】明細書
【補正対象項目名】００２６
【補正方法】変更
【補正の内容】
【００２６】
弁体２３は、後述するように、雄型接続部材２０と雌型接続部材３０との係合、離脱毎に、脚部２３ｉは雌型接続部材３０の段差部３２ｂに当接、押し上げられ、それに伴い胴体部２３ｄが雄型接続部材２０の小径部２１ｃ貫通孔内面で圧接された状態で摺動し、肩部２３ｃ及び脇部２３ｆは、段部２１ｇと接触、非接触を繰り返すことから、形成する材料に耐衝撃性、耐磨耗性が要求される。また、水道栓等に連結して使用する場合、所定の水圧、例えば、（７kg/cm2：１０〜１５kg）に対して変形しない機械的強度が要求される。一方、水道水に含有している残留塩素で腐食せず、さらに、高温の水道水に溶存する酸素に起因した酸化による劣化、温水中での加水分解に対する耐性が必要とされる。
他方、上述した弁体は、構造が簡単で、一体成形が可能であることから、加工性に優れた材料で形成することが望ましい。
【手続補正６】
【補正対象書類名】明細書
【補正対象項目名】００２７
【補正方法】変更
【補正の内容】
【００２７】
上記の諸要求を満たす材料として、弁体２３をポリフィニレンスルフィド、ポリアセタール、ポリアミド等の樹脂で形成し、その性能を確認した。その結果、ポリフィニレンスルフィドが有望視され、これに熱可塑性エラストマーを添加した樹脂が諸要求を満たすことを突き止めた。即ち、ポリフィニレンスルフィドは、高温下で耐薬品性に優れ、また、これに熱可塑性エラストマーを添加することによって、機械的強度を得ることができる。
【手続補正７】
【補正対象書類名】明細書
【補正対象項目名】００２８
【補正方法】変更
【補正の内容】
【００２８】
次いで、この弁体は、上記ポリフィニレンスルフィドに熱可塑性エラストマーを添加した樹脂で、一体成形し、一部品で構成する。これにより、加工が容易、耐薬品性、耐衝撃性、耐磨耗性に優れた弁体を得ることが出来る。
また、この弁体は、上記ポリフィニレンスルフィドに熱可塑性エラストマーを添加した樹脂で形成することを述べたが、上述の諸要求を全部満たす必要のない使用環境の場合は、他の樹脂、例えばポリアセタール等の樹脂で形成すること、或いは、金属で作ることも出来る。
【手続補正８】
【補正対象書類名】明細書
【補正対象項目名】００２９
【補正方法】変更
【補正の内容】
【００２９】
これまで弁体２３は、上述の諸要求を満たすことを前提に、ポリフィニレンスルフィドに熱可塑性エラストマーを添加した樹脂で成形することを述べたが、雌型接続部材、雄型接続部材の双方或いはどちらか一方を上記ポリフィニレンスルフィドに熱可塑性エラストマーを添加した樹脂で形成することもできる。
【手続補正９】
【補正対象書類名】明細書
【補正対象項目名】００３３
【補正方法】変更
【補正の内容】
【００３３】
【発明の効果】
本発明は、継手の一方に装着され通水、止水機能を有する弁体を一体成形により一部品で構成したことにより、弁体の構造が簡単となるばかりでなく、継手への装着、離脱が容易になる。また、継手或いはこの弁体をポリフィニレンスルフィドに熱可塑性エラストマーを添加した樹脂で形成することにより、加工が容易、耐薬品性、耐衝撃性、耐磨耗性に優れた継手を得ることができる。さらに、継手の結合が外れたとき、弁体の円滑な移動により瞬時に通水を遮断することができる。
【手続補正書】
【提出日】平成17年7月13日(2005.7.13)
【手続補正１】
【補正対象書類名】明細書
【補正対象項目名】請求項１
【補正方法】変更
【補正の内容】
【請求項１】
シリンダヘッド(2) の下面と、シリンダ(3) の内部と、シリンダ(3) の内部を往復運動するピストンの頭部とで囲まれた圧縮室を有し、この圧縮室からの圧縮洩れを阻止すべく、圧縮室に対応した開口(1a)を有してこの開口(1a)内に圧縮室が位置するように、シリンダヘッド(2)の下面とシリンダ(3)の上面との間にヘッドガスケット(1) を挟着してなる圧縮室の密閉構造において、ヘッドガスケット(1) は一枚板(1A)であると共に、拡大開口(1g)を有し、かつ拡大開口(1g)のほぼ拡大相当位置にリング(1B)を有することを特徴とする圧縮室の密閉構造。
【手続補正２】
【補正対象書類名】図面
【補正対象項目名】図９
【補正方法】変更
【補正の内容】
【図９】
2000045864.tif 000001
【手続補正書】
【提出日】平成16年3月1日(2004.3.1)
【手続補正１】
【補正対象書類名】明細書
【補正対象項目名】発明の名称
【補正方法】変更
【補正の内容】
【発明の名称】単線スチールコード


【手続補正２】
【補正対象書類名】明細書
【補正対象項目名】特許請求の範囲
【補正方法】変更
【補正の内容】
【特許請求の範囲】
【請求項１】
丸線ワイヤの扁平化により対向する２つの扁平面と対向する２つの丸曲面とを有する１本のワイヤからなる単線スチールコードであって、その短径Ｄと長径Ｗとの扁平比Ｄ／Ｗを０．５０〜０．９５の範囲とし、かつ、短径方向および長径方向のそれぞれに波付けされ、一方の扁平面がタイヤ接地面側に向くようにタイヤベルト部に埋め込まれて用いられることを特徴とする単線スチールコード。
【請求項２】
上記波付けは、クリンプ加工であり、波付け高さを０．０５〜０．３ｍｍの範囲とすることを特徴とする請求項１記載の単線スチールコード。
【請求項３】
上記クリンプ加工は、短径方向の波付け高さを０．０５〜０．３ｍｍの範囲とし、長径方向の波付け高さを０．０５〜０．５ｍｍの範囲とすることを特徴とする請求項２記載の単線スチールコード。
【請求項４】
上記扁平比Ｄ／Ｗを０．８０〜０．９５ｍｍの範囲とすることを特徴とする請求項１記載の単線スチールコード。
【請求項５】
上記波付けは、ピッチ間隔を２〜２０ｍｍの範囲とすることを特徴とする請求項１記載の単線スチールコード。
【請求項６】
上記波付けは、１つの平面内で直線状の部分を含まない滑らかに連続する曲線部のみからなるピンローラ加工であることを特徴とする請求項１記載の単線スチールコード。
【請求項７】
上記波付けは、円弧の組み合せ、正弦波曲線、サイクロイド（螺旋形曲線）の連続弧、カージオイド（心臓形曲線）の連続弧、トラクトリックス（懸垂線形曲線）の連続弧からなる群より選ばれる１又は２以上を組み合せてなる滑らかに連続する曲線であることを特徴とする請求項６記載の単線スチールコード。
【請求項８】
上記ピンローラ加工は、波付け高さを０．０５〜０．３ｍｍの範囲とすることを特徴とする請求項６記載の単線スチールコード。
【請求項９】
上記ピンローラ加工は、短径方向の波付け高さを０．０５〜０．３ｍｍの範囲とし、長径方向の波付け高さを０．０５〜０．５ｍｍの範囲とすることを特徴とする請求項６記載の単線スチールコード。
【請求項１０】
上記扁平比Ｄ／Ｗを０．８０〜０．９５ｍｍの範囲とすることを特徴とする請求項６記載の単線スチールコード。
【請求項１１】
上記丸ワイヤは、２８０〜４００ｋｇｆ／ｍｍ2の範囲の引張り強度を有することを特徴とする請求項１記載の単線スチールコード。
【請求項１２】
上記丸ワイヤは、０．７〜１．００質量％の炭素含有量を有することを特徴とする請求項１記載の単線スチールコード。
【手続補正３】
【補正対象書類名】明細書
【補正対象項目名】０００１
【補正方法】変更
【補正の内容】
【０００１】
【発明の属する技術分野】
本発明は、各種の車両用タイヤの補強に用いられる単線スチールコードに係り、特にタイヤベルト部に埋め込んで使用される単線スチールコードに関する。


【手続補正４】
【補正対象書類名】明細書
【補正対象項目名】００１０
【補正方法】変更
【補正の内容】
【００１０】
キルの測定方法は、製品仕上げされたスプール１のコード端末部２ｃをＬ字に折って固定具（図示せず）に固定したまま、図１に示すように長さＬ１（＝６ｍ）だけスプール１から引き出し、その後にコード端末部２ｃを固定具から解放し、コード２の回転数をカウントする方法である。通常のＳ撚りの場合は、撚り方向と同じ方向（時計方向）に回転した場合をプラスキル（＋）とし、撚り方向と逆の方向（反時計方向）に回転した場合をマイナスキル（−）とする。一般的にはキルは±２回転以内の回転数であれば良好であり、そのコードは実用上問題ないといえる。


【手続補正５】
【補正対象書類名】明細書
【補正対象項目名】００１５
【補正方法】変更
【補正の内容】
【００１５】
【発明が解決しようとする課題】
本発明の目的は、コーナリング時の横方向への高い耐久力（耐疲労性）を確保しつつ、乗り心地性に優れ、かつ、タイヤゴムの薄肉化を実現することができる単線スチールコードを提供することにある。


【手続補正６】
【補正対象書類名】明細書
【補正対象項目名】００２１
【補正方法】変更
【補正の内容】
【００２１】
本発明に係る単線スチールコードは、丸線ワイヤの扁平化により対向する２つの扁平面と対向する２つの丸曲面とを有する１本のワイヤからなる単線スチールコードであって、その短径Ｄと長径Ｗとの扁平比Ｄ／Ｗを０．５０〜０．９５の範囲とし、かつ、短径方向および長径方向のそれぞれに波付けされ、一方の扁平面がタイヤ接地面側に向くようにタイヤベルト部に埋め込まれて用いられることを特徴とする。


【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２８
【補正方法】変更
【補正の内容】
【００２８】
一方、短径方向の波付け高さＦ１の最小値は０．０５ｍｍとすることが好ましい。アークハイトＡＨを３０ｍｍ以内（合格判定）に低減させるためには、最低でも０．０５ｍｍ高さの波付けが必要となるからである。
【手続補正書】
【提出日】平成16年8月25日(2004.8.25)
【手続補正１】
【補正対象書類名】明細書
【補正対象項目名】０００４
【補正方法】変更
【補正の内容】
【０００４】
サムターン８の先端に、スピンドル３の先端が係入する非円形の底付きの孔１２が設けられる（図１２参照）。
サムターン座６には、貫通孔７の両側にねじ挿通孔１３が設けられ、ねじ挿通孔１３に挿通されるねじ１４が、箱錠Ａの錠ケース１５に設けられたねじ挿通孔１６を通して連結軸部４のねじ孔５に螺合し、シリンダ錠Ｂおよびサムターン座６がドアの室外側および室内側の表面にそれぞれ固着される。
【手続補正２】
【補正対象書類名】明細書
【補正対象項目名】００２０
【補正方法】変更
【補正の内容】
【００２０】
次に、以上のように構成された第１実施例のサムターン機構Ｃ１  の取付および取り外し作業について説明する。
サムターン機構Ｃ１  をドアに取り付けるには、ねじ１４によりサムターン座３０をドアの室内側表面に固着する。
サムターン座３０は、サムターン３２を組付けておく必要がないので固着作業は容易になる。
【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
観測船等から得られた海底面の深度データから浚渫効率のよい計画航路を設定し、その計画航路に沿った深度変化に応じて深度一定制御又は状況に応じた含泥率一定制御で浚渫を行うことを特徴とする浚渫船の浚渫制御方法。
【請求項２】
観測船等から得られた海底面の深度データから浚渫効率のよい計画航路を設定し、その計画航路に沿った深度変化に応じて深度一定制御及び状況に応じた含泥率一定制御で浚渫を行うことを特徴とする浚渫船の浚渫制御方法。
【請求項３】
ドラグアームをスエルコンペンセータで支持して先端のドラグヘッドの接地圧を調整しつつ、浚渫船を推進させ、ドレージポンプで海底の泥等をドラッグヘッドで吸い込んで浚渫を行うに際して、観測船等から得られた海底面の深度データから浚渫効率のよい計画航路を設定し、その計画航路に沿った深度変化に応じて浚渫船の船速を制御して深度一定制御を行うと共に、ドレージポンプの回転数とスエルコンペンセータによるドラグヘッドの接地圧を制御して含泥率一定制御を行って浚渫を行うことを特徴とする浚渫船の浚渫制御方法。
【請求項４】
計画航路に対して浚渫船の航路が大幅にずれたとき、そのずれた位置から、浚渫効率のよい航路を再度計画し、再設定した航路をもとに浚渫を行う請求項１乃至３いずれかに記載の浚渫船の浚渫制御方法。
【請求項５】
計画航路を設定する際に、計画航路に対して航路が大幅にずれたときを予め想定して浚渫エリア内の様々な位置から効率のよい航路を予め多数計画しておき、計画航路に対して航路が大幅にずれたとき、その地点に近い航路を選び出して航路を再設定する請求項１乃至３いずれかに記載の浚渫船の浚渫制御方法。
【請求項６】
計画航路を表示し、その表示に基づいて手動操舵し、その手動操舵に基づく航路に沿って浚渫船の船速を制御して深度一定制御を行うと共に、ドレージポンプの回転数とスエルコンペンセータによるドラグヘッドの接地圧を制御して含泥率一定制御を行って浚渫を行う請求項１乃至３いずれかに記載の浚渫船の浚渫制御方法。
【請求項７】
ドラグアームをスエルコンペンセータで支持して先端のドラグヘッドの接地圧を調整しつつ、浚渫船を推進させ、ドレージポンプで海底の泥等をドラッグヘッドで吸い込んで浚渫を行う浚渫船の浚渫制御装置において、観測船等からの海底面の深度データを受け取り、その深度データから浚渫効率のよい計画航路を設定する航路計画機構と、その計画航路に沿って浚渫船を航行させる航路トラッキング機構と、計画航路に沿った深度変化に応じて深度一定制御及び／又は含泥率一定制御で浚渫を行う浚渫作業制御機構とを備えたことを特徴とする浚渫船の浚渫制御装置。
【請求項８】
航路計画機構は、浚渫作業を行うエリアを計画した深度の計測データと浚渫作業区域、浚渫開始・終了点・土砂投棄場所・潮流情報などが記された海図データが入力され、これに基づいて、一定時間により多くの浚渫を必要とする場所を通ることができる航路や浚渫作業を必要とする全ての作業が短時間で終了する航路等の評価基準に基づいて、効率が高いとされる実現可能な航路とその航路の海図を計画する機能をもつ請求項７記載の浚渫船の浚渫制御装置。
【請求項９】
航路計画機構は、浚渫する海域目標深度が入力され、海底面が目標深度より隆起している箇所を選び出すと共に浚渫位置から浚渫するに当たってこれら箇所を浚渫する際に、浚渫に効率の良い航路を探し出して計画航路を決定する請求項８記載の浚渫船の浚渫制御装置。
【請求項１０】
航路トラッキング機構は、浚渫作業制御機構によって操作されたメインスラスタの操作量を考慮して指示された航路に沿うように舵やバウスラスタを自動制御する他に、操舵手によって手動操作に切り替える機能を有し、さらに、計画航路を自船位置と共に表示するディスプレイを備える請求項７乃至９いずれかに記載の浚渫船の浚渫制御装置。
【請求項１１】
航路計画機構は、計画航路に対して浚渫船の位置が、大幅にずれたとき、そのずれた位置から浚渫効率の良い航路を再度計算し、再計画以降、新たな計画航路に基づいて浚渫航行作業を行う機能を有する請求項７乃至１０いずれかに記載の浚渫船の浚渫制御装置。
【手続補正２】
【補正対象書類名】明細書
【補正対象項目名】００１６
【補正方法】変更
【補正の内容】
【００１６】
請求項７の発明は、ドラグアームをスエルコンペンセータで支持して先端のドラグヘッドの接地圧を調整しつつ、浚渫船を推進させ、ドレージポンプで海底の泥等をドラッグヘッドで吸い込んで浚渫を行う浚渫船の浚渫制御装置において、観測船等からの海底面の深度データを受け取り、その深度データから浚渫効率のよい計画航路を設定する航路計画機構と、その計画航路に沿って浚渫船を航行させる航路トラッキング機構と、計画航路に沿った深度変化に応じて深度一定制御及び／又は含泥率一定制御で浚渫を行う浚渫作業制御機構とを備えたことを特徴とする浚渫船の浚渫制御装置である。
請求項８の発明は、航路計画機構は、浚渫作業を行うエリアを計画した深度の計測データと浚渫作業区域、浚渫開始・終了点・土砂投棄場所・潮流情報などが記された海図データが入力され、これに基づいて、一定時間により多くの浚渫を必要とする場所を通ることができる航路や浚渫作業を必要とする全ての作業が短時間で終了する航路等の評価基準に基づいて、効率が高いとされる実現可能な航路とその航路の海図を計画する機能をもつ請求項７記載の浚渫船の浚渫制御装置である。
請求項９の発明は、航路計画機構は、浚渫する海域目標深度が入力され、海底面が目標深度より隆起している箇所を選び出すと共に浚渫位置から浚渫するに当たってこれら箇所を浚渫する際に、浚渫に効率の良い航路を探し出して計画航路を決定する請求項８記載の浚渫船の浚渫制御装置。
請求項１０の発明は、航路トラッキング機構は、浚渫作業制御機構によって操作されたメインスラスタの操作量を考慮して指示された航路に沿うように舵やバウスラスタを自動制御する他に、操舵手によって手動操作に切り替える機能を有し、さらに、計画航路を自船位置と共に表示するディスプレイを備える請求項７乃至９いずれかに記載の浚渫船の浚渫制御装置である。
請求項１１の発明は、航路計画機構は、計画航路に対して浚渫船の位置が、大幅にずれたとき、そのずれた位置から浚渫効率の良い航路を再度計算し、再計画以降、新たな計画航路に基づいて浚渫航行作業を行う機能を有する請求項７乃至１０いずれかに記載の浚渫船の浚渫制御装置である。
【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
仮想３次元空間内において複数個のポリゴンから構成されているオブジェクトに基づいて構成した絵柄画像を表示する表示手段を備えた遊技機において、
前記絵柄画像を構成する複数のオブジェクトを記憶するオブジェクト記憶手段と、
前記絵柄画像を前記表示手段に出力する出力手段とを備え、
前記絵柄画像は、同一の表示対象物に対する少なくとも第１絵柄画像と第２絵柄画像とを有し、
前記第１絵柄画像は、少なくとも特定オブジェクトを含むオブジェクトにより構成され、
前記第２絵柄画像は、前記第１絵柄画像を構成する前記オブジェクトに、さらに前記特定オブジェクトを加えることにより構成され、
前記第１絵柄画像および第２絵柄画像をそれぞれ構成する各々のオブジェクトを仮想３次元空間内にそれぞれ配置し、新たなる位置に順次に配置することで、各々のオブジェクトを変動させるオブジェクト変動手段と、
第１絵柄画像を構成するオブジェクト／第２絵柄画像を構成するオブジェクトを切り換えるオブジェクト切換手段とを備え、
前記出力手段は、変動して切り換えられた一連のオブジェクトからなる第１／第２絵柄画像を前記表示手段に出力することを特徴とする遊技機。
【請求項２】
請求項１に記載の遊技機において、
前記オブジェクト切換手段による切換時には、切換前のオブジェクトからなる第１／第２絵柄画像の一部あるいは全部を前記表示手段外へ移動させ、切換後のオブジェクトからなる第２／第１絵柄画像の一部あるいは全部を前記表示手段内へ移動させるように、前記オブジェクト変動手段は仮想３次元空間内の新たなる位置に各々のオブジェクトを順次に配置することを特徴とする遊技機。
【請求項３】
請求項１または請求項２に記載の遊技機において、
前記オブジェクト変動手段は、連結された複数個のオブジェクトからなる各々のオブジェクトを前記仮想３次元空間内にそれぞれ配置し、先頭のオブジェクトを新たなる位置に順次に配置すると、それに従って、隣接する先頭のオブジェクトが前に配置された位置に後続の各オブジェクトを順次に配置することを特徴とする遊技機。
【請求項４】
請求項１または請求項２に記載の遊技機において、
第１絵柄画像を構成するオブジェクト／第２絵柄画像を構成するオブジェクトを変動させた結果、第１絵柄画像を構成するオブジェクト／第２絵柄画像を構成するオブジェクトが描く軌道の曲率の小さい方が第１絵柄画像を構成するオブジェクト，曲率の大きい方が第２絵柄画像を構成するオブジェクトになるように、前記オブジェクト変動手段は、オブジェクトを仮想３次元空間内にそれぞれ配置し、新たなる位置に順次に配置することを特徴とする遊技機。
【手続補正書】
【提出日】平成16年9月15日(2004.9.15)
【手続補正１】
【補正対象書類名】明細書
【補正対象項目名】特許請求の範囲
【補正方法】変更
【補正の内容】
【特許請求の範囲】
【請求項１】
外部磁場を遮蔽する手段と、被験体を支持するベッドと、前記被験体から発生する生体磁場を検出する単数又は複数のＳＱＵＩＤ磁束計と、前記ＳＱＵＩＤ磁束計を低温に保持するクライオスタットと、前記ＳＱＵＩＤ磁束計を駆動する駆動回路と、前記駆動回路の出力信号を収集し演算処理を行う演算処理装置と、前記演算処理の結果を表示する表示装置とを有し、前記演算処理装置は、（１）計測された前記生体磁場の波形から、母体の心臓から発生する磁場波形を除去する処理と、（２）前記母体の心臓から発生する磁場波形が除去された波形から、胎児の心臓から発生する磁場波形の第１のテンプレート波形を求める処理と、（３）前記母体の心臓から発生する磁場波形が除去された波形と前記第１のテンプレート波形との間の相互相関係数の波形を求める処理と、（４）前記相互相関係数の波形からピークを検出する処理と、を行い、前記表示装置に検出された前記ピークの出現時刻が表示されることを特徴とする生体磁場計測装置。
【請求項２】
請求項１に記載の生体磁場計測装置において、前記（１）の処理は、前記母体の心臓から発生する磁場波形の第２のテンプレート波形を求める処理と、前記第２のテンプレート波形の初期点と終了点の値をゼロとする基線補正処理と、計測された前記生体磁場の波形から、前記基線補正処理がされた前記第２のテンプレート波形を除去する処理とを含むことを特徴とする生体磁場計測装置。
【請求項３】
請求項２に記載の生体磁場計測装置において、前記第２のテンプレート波形を求める処理は、前記生体磁場の検出と同時に計測された前記母体の心電波形を参照信号とすることを特徴とする生体磁場計測装置。
【請求項４】
請求項２に記載の生体磁場計測装置において、前記第２のテンプレート波形を求める処理は、前記磁束計からの信号波形を参照信号とすることを特徴とする生体磁場計測装置。
【請求項５】
請求項２に記載の生体磁場計測装置において、前記（２）の処理において、加算平均処理によって前記第１のテンプレート波形を求めることを特徴とする生体磁場計測装置。
【請求項６】
請求項２に記載の生体磁場計測装置において、加算平均処理によって前記第２のテンプレート波形を求めることを特徴とする生体磁場計測装置。
【請求項７】
請求項１に記載の生体磁場計測装置において、前記（３）の処理において、前記複数のＳＱＵＩＤ磁束計の各ＳＱＵＩＤ磁束計により計測された前記生体磁場の波形から前記相互相関係数の波形を求める処理と、求められた複数の前記相互相関係数の波形の平均波形を求める処理とを含み、前記相互相関係数の波形として、前記平均波形を使用することを特徴とする生体磁場計測装置。
【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】
被検体を観察可能な手術用顕微鏡を有する手術用観察装置において、
前記手術用顕微鏡の鏡体部に設けられ前記被検体の光学像を得るための顕微鏡対物光学系と、
前記被検体に挿入可能な挿入部及び前記挿入部に設けられ前記被検体の光学像を得るための内視鏡対物光学系を有する内視鏡と、
前記手術用顕微鏡の鏡体部に設けられ、前記内視鏡対物光学系が前記顕微鏡対物光学系を通過した光学像を得ることが可能な位置に配置されるように前記内視鏡を保持可能な内視鏡保持手段と、
を有することを特徴とする手術用観察装置。
【手続補正２】
【補正対象書類名】明細書
【補正対象項目名】００１１
【補正方法】変更
【補正の内容】
【００１１】
【課題を解決するための手段】
前記目的を達成するため請求項１に記載の手術用顕微鏡は、被検体を観察可能な手術用顕微鏡を有する手術用観察装置において、前記手術用顕微鏡の鏡体部に設けられ前記被検体の光学像を得るための顕微鏡対物光学系と、前記被検体に挿入可能な挿入部及び前記挿入部に設けられ前記被検体の光学像を得るための内視鏡対物光学系を有する内視鏡と、前記手術用顕微鏡の鏡体部に設けられ、前記内視鏡対物光学系が前記顕微鏡対物光学系を通過した光学像を得ることが可能な位置に配置されるように前記内視鏡を保持可能な内視鏡保持手段と、を有することを特徴とする。
【手続補正３】
【補正対象書類名】明細書
【補正対象項目名】００８９
【補正方法】変更
【補正の内容】
【００８９】
（付記項８）  被検体を観察可能な手術用顕微鏡を有する手術用観察装置において、
前記手術用顕微鏡の鏡体部に設けられ前記被検体の光学像を得るための顕微鏡対物光学系と、
前記被検体に挿入可能な挿入部及び前記挿入部に設けられ前記被検体の光学像を得るための内視鏡対物光学系を有する内視鏡と、
前記手術用顕微鏡の鏡体部に設けられ、前記内視鏡対物光学系が前記顕微鏡対物光学系を通過した光学像を得ることが可能な位置に配置されるように前記内視鏡を保持可能な内視鏡保持手段と、
を有することを特徴とする手術用観察装置。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
複数の絵柄を表示するための表示装置と、
遊技者の操作に応じて変化した遊技状況を検出する遊技状況検出手段と、
該遊技状況検出手段による遊技状況が所定の条件を満たすと、前記絵柄を前記表示装置で変動表示させる絵柄変動実行手段と、
該絵柄変動実行手段による絵柄の変動を、前記遊技状況検出手段による遊技状況に応じた停止絵柄で停止させる絵柄変動停止手段と、
前記停止絵柄に関する絵柄情報を記憶する絵柄情報記憶手段と、
該絵柄情報記憶手段に記憶された複数の前記絵柄情報に基づいて、遊技者に有利な特別遊技状態を発生させる特別遊技状態発生手段と
を具備し、
前記絵柄情報記憶手段には、前記絵柄に関連する数値が前記絵柄情報として記憶され、
前記特別遊技状態発生手段は、
前記絵柄情報記憶手段に記憶される前記数値を順次加算し累積値を算出する累積値算出手段と、前記基準値に対する前記累積値の偏差を算出する偏差算出手段と、該偏差算出手段による前記偏差を基に報知手段を動作させる報知制御手段とを有し、算出された前記累積値が基準値よりも大きくなったとき前記特別遊技状態を発生させる
ことを特徴とする遊技機。
【請求項２】
前記報知手段は、複数の絵柄を表示するための前記表示装置からなり、前記報知制御手段は、前記表示装置における前記絵柄の背景を、前記偏差に基づき変更することを特徴とする遊技機。
【手続補正書】
【提出日】平成17年3月16日(2005.3.16)
【手続補正１】
【補正対象書類名】明細書
【補正対象項目名】特許請求の範囲
【補正方法】変更
【補正の内容】
【特許請求の範囲】
【請求項１】
相対的な優劣関係が巡回的に予め定められた少なくとも３つの選択対象の中から対戦する少なくとも二人のプレイヤによって選択された選択対象を比較して優劣関係を判定し対戦を行うゲーム装置であって、
対戦する各プレイヤによって選択されたキャラクタをそれぞれ表示する手段と、
ゲームが行われる選択対象を表す複数のアイコンを前記キャラクタのそれぞれに対応して表示する手段と、
対戦する各プレイヤの操作によって選択された選択対象を比較して優劣関係を判定する手段と、を有し、
対戦する各プレイヤが選択した前記キャラクタのそれぞれに対応して表示される前記複数のアイコンのそれぞれに対し、勝利したときに対戦相手のキャラクタに与えるダメージが、前記少なくとも３つの選択対象うちのひとつについて他の選択対象より大きくなるように、設定されており、
対戦する各プレイヤが選択した前記キャラクタのそれぞれに対応して、勝利したときに対戦相手のキャラクタに与えるダメージが他の選択対象で勝利したときに対戦相手のキャラクタに与えるダメージよりも大きく設定された特定選択対象を表すアイコンを、他の選択対象を表すアイコンよりサイズを変更して表示することにより、各プレイヤが対戦相手の選択したキャラクタに対応する選択対象アイコンを互いに識別できるように視覚的に区別して表示する手段と、
前記優劣関係判定手段の判定に基づき、勝利したプレイヤが選択した選択対象に設定されたダメージを敗北した対戦相手のキャラクタに与える手段と、をさらに有するように構成されてなることを特徴するゲーム装置。
【請求項２】
請求項１に記載のゲーム装置であって、
前記ゲーム装置は、さらに
記録媒体を装着する読み取り手段と、
前記優劣判定手段での判定結果に基づいて負けた側のキャラクタのダメージ値を演算するダメージ演算手段と、
前記ダメージ値が所定値を超えたか否かを判定し、超えた場合に該ゲームを終了させる制御手段と、
を備え、
前記ダメージ演算手段は、前記ダメージ値の演算において、前記読み取り手段に装着された記憶媒体から読み取られた攻撃オプション設定情報に基づいて前記優劣判定手段で勝ったと判定された側が選択した選択対象に設定された追加効果を与える処理を行うことを特徴とする、ゲーム装置。
【請求項３】
前記選択対象は、「グー」「チョキ」「パー」であることを特徴とする請求項１又は請求項２記載のゲーム装置。
【請求項４】
前記選択対象は、「打撃技」「投げ技」「防禦」等の格闘技であることを特徴とする請求項１又は請求項２記載のゲーム装置。
【請求項５】
前記選択対象は、魔法の種類であることを特徴とする請求項１又は請求項２記載のゲーム装置。
【請求項６】
前記特定選択対象を表すアイコンを、他の選択対象を表すアイコンより大きく表示することを特徴とする請求項１乃至５のうち何れか１項に記載のゲーム装置。
【請求項７】
相対的な優劣関係が巡回的に予め定められた少なくとも３つの選択対象の中から対戦する少なくとも二人のプレイヤによって選択された選択対象を比較して優劣関係を判定し対戦を行うゲームにおける表示方法であって、
（ａ）対戦する各プレイヤによって選択されたキャラクタのそれぞれを表示画面に表示する段階と、
（ｂ）前記各プレイヤのキャラクタ選択に応じて、前記少なくとも３つの選択対象を表す複数のアイコンを前記キャラクタのそれぞれに対応して前記表示画面に表示する段階と、
（ｃ）前記各プレイヤが入力手段を操作して前記少なくとも３つの選択対象の中から一つを選択する段階と、
（ｄ）各プレイヤが入力手段を操作して選択した選択対象を比較して優劣関係を判定する段階と、
（ｅ）前記優劣関係判定段階の判定に基づき、勝利したプレイヤが選択した選択対象に設定されたダメージを敗北した対戦相手のキャラクタに与える段階と、含み、
前記段階（ｂ）は更に、
（ｂ１）前記キャラクタのそれぞれに対応して、前記少なくとも３つの選択対象のうち一つの特定選択対象に対し、勝利したときに対戦相手のキャラクタに与えるダメージを他の選択対象で勝利したときに対戦相手のキャラクタに与えるダメージよりも大きく設定する段階と、
（ｂ２）前記キャラクタのそれぞれに対応して、前記少なくとも３つの選択対象を表すアイコンのうち、前記特定選択対象の表すアイコンを、他の選択対象の表すアイコンよりサイズを変更して表示することにより対戦相手が認識できるように前記表示画面に視覚的に区別して表示する段階と、
を含むことを特徴とするゲームにおける表示方法。
【請求項８】
前記選択対象は、「グー」「チョキ」「パー」であることを特徴とする請求項７記載の表示方法。
【請求項９】
前記選択対象は、「打撃技」「投げ技」「防禦」等の格闘技であることを特徴とする請求項７記載の表示方法。
【請求項１０】
前記選択対象は、魔法の種類であることを特徴とする請求項７記載の表示方法。
【請求項１１】
前記特定選択対象を表すアイコンを、他の選択対象を表すアイコンより大きく表示することを特徴とする請求項７乃至１０のうち何れか１項に記載の表示方法。
【請求項１２】
コンピュータシステムに、請求項７乃至請求項１１のうち何れか１項に記載の表示方法を実行させるためのゲームプログラム。